(57)【要約】      （修正有）【課題】ハードディスクドライブを含む情報記憶装置を簡単にかつ低コストで外付けとして使用可能とする情報記憶装置の立設具を提供するものであって、極めて些少の場所に簡単に設置でき、更には複数台を効率よく設置可能とすると共に、不用意に倒れてしまう等のことのない立設具を提供する。【解決手段】一定の厚みを有する略直方体形状の情報記憶装置の一側面に配設して該側面を底に、他側面を上方に向けて立設する立設具であり、情報記憶装置の一側面の螺子穴に螺合して連設するための螺子穴を有する基部と、該基部を中心として両側方向にそれぞれ逆方向に突出形成する鍔部とを有し、一の鍔部を有する基部の反対方向の側部には他の鍔部は有さず、基部の両端方向に置いてそれぞれ逆方向に鍔部を有する情報記憶装置の立設具によって解決できる。【選択図】図１
0003129917.tif 000002
【実用新案登録請求の範囲】
【請求項１】
一定の厚みを有する略直方体形状の情報記憶装置の一側面に配設して該側面を底に、他側面を上方に向けて立設する立設具２であって、
情報記憶装置の一側面の螺子穴に螺合して連設するための螺子穴２３を有する基部２０と、
該基部２０を中心として両側方向にそれぞれ逆方向に突出形成する鍔部２１、２２とを有し、
一の鍔部を有する基部の反対方向の側部には他の鍔部は有さず、
基部２０の両端方向に置いてそれぞれ逆方向に鍔部２１、２２を有することを特徴とする情報記憶装置の立設具。
【請求項２】
該基部２０の中央部分から両端方向に向けて、基部のそれぞれの両側に鍔部２１、２２を有することを特徴とする請求項１記載の情報記憶装置の立設具。
【請求項３】
該基部２０に少なくとも二台以上の情報記憶装置を螺子止めすることのできる幅と螺子穴２３を有することを特徴とする請求項１又は２のいずれかに記載の情報記憶装置の立設具。
【請求項４】
該基部２０の両側方向にそれぞれ突出形成した鍔部２１、２２の突出方向の長さがほぼ同一の長さからなる鍔部であることを特徴とする請求項１乃至３のいずれかに記載の情報記憶装置の立設具。
【請求項５】
情報記憶装置がハードディスクドライブであることを特徴とする請求項１乃至４のいずれかに記載の情報記憶装置の立設具。
【考案の詳細な説明】
【技術分野】
【０００１】
本考案は、外付け型のハードディスクドライブ等の情報記憶装置の立設具に関する。
【背景技術】
【０００２】
従来より、情報記憶装置、例えばハードディスクに関してはパーソナルコンピューターなどの情報処理装置において大量のデータを記憶すると共に高速アクセスしてデータ処理を行なう上で活用されており、通常ではケース内に装着して使用するものの他、外部ストレージとして所謂外付け型のハードディスクドライブも使用されてきているものである。
これは、そもそもケース内にも有するが、容量を増やすためやバックアップ等のためにケース内ではなく外部に外付けとして情報記憶装置を連設して活用することも多用されている。
【０００３】
例えば特公平６-６６１１１号（特許文献１）に示す耐衝撃性可搬型ディスク記憶装置がある。
係る構造は固定ディスク記憶装置とこれを収納する外箱からなることを基調とする。
又、特開２００３-８６８９号（特許文献２）にはハードディスク駆動機構部を収納する筐体とを基調とし該筐体が上ハーフ部と下ハーフ部とからなると共に密閉構造となる情報記憶装置が明示されている。
更に特開２００４-１３９６７０号（特許文献３）に示す情報記憶装置があり、これはハードディスク駆動機構部とこれを収納する第一の筐体と更にこれを収納する第二の筐体からなることを基調とする情報記憶装置である。
【特許文献１】特公平６-６６１１１号
【特許文献２】特開２００３-８６８９号
【特許文献３】特開２００４-１３９６７０号
【考案の開示】
【考案が解決しようとする課題】
【０００４】
以上の様に、情報記憶部である所謂ハードディスクドライブに関しては、パーソナルコンピューターのケース内に収納するものばかりでなく外付けの外部での連設による情報記憶装置として多用されるものである。
しかし、これらの構成に関しては、全てケース内に入れた上で本体と連設して使用するであり、所謂外付けのハードディスクドライブの収納のための特別なケースを用いて、その内部に収納して使用するものでしかなかった。
この場合、特許文献１に示す構成は、もとより外箱内の収納するものであり、衝撃吸収材などを有するものであって、ハードディスクドライブを使用するためには各種手順を踏んだ上で箱内に適正に収納することが必要であった。
【０００５】
この方法は特許文献２及び特許文献３のいずれにおいてもほぼ同様であり、ハードディスクドライブの使用にはケース内に的確に収納しなければ使用できないものであった。
更にこのことは全て該筐体又は外箱からなる情報記憶装置用のケースを製造しなければならないものであり、どうしても高額なコストが掛かってしまうこととなる。
特にパーソナルコンピューターの使用場所が特定している場合、即ちオフィスや仮定の特定の場所に設置しているパーソナルコンピューターにおいて使用する場合には、殊更該外付けのハードディスクドライブを持ち運ぶようなことは行わないものであって、該場所においてのみ使用することが最も多いものである。
【０００６】
更に、該特定の場所において使用する場合には殊更衝撃吸収部材などは不要であると共に簡単にかつ極めて低コストで使用可能な何らかの外付けハードディスクドライブの提供がなされることが望まれるものである。
この場合、ハードディスクドライブは一定の厚みを有する略直方体形状からなり、寝かせた状態で使用すると不用意に場所をとってしまうものである反面、該幅部分又は上面や下面部分を底にして起立させて使用すると該面の面積が小さいことから不用意にふらつき、倒れてしまう恐れがあった。
従って、この様なハードディスクドライブを含む情報記憶装置を簡単にかつ低コストで外付けとして使用可能とする何らかの装置が望まれているものであった。
【課題を解決するための手段】
【０００７】
係る課題を解決するため、本考案に係る情報記憶装置の立設具を提供するものである。
まず請求項１に係る考案は一定の厚みを有する略直方体形状の情報記憶装置の一側面に配設して該側面を底に、他側面を上方に向けて立設する立設具であって、情報記憶装置の一側面の螺子穴に螺合して連設するための螺子穴を有する基部と、該基部を中心として両側方向にそれぞれ逆方向に突出形成する鍔部とを有し、一の鍔部を有する基部の反対方向の側部には他の鍔部は有さず、基部の両端方向に置いてそれぞれ逆方向に鍔部を有する情報記憶装置の立設具からなり、係る考案によって前記課題を解決できる。
【０００８】
更に、請求項２に係る考案は該基部の中央部分から両端方向に向けて、基部のそれぞれの両側に鍔部を有する情報記憶装置の立設具であって、係る考案であっても同様に前記課題を解決できる。
又、請求項３に係る考案は、該基部に少なくとも二台以上の情報記憶装置を螺子止めすることのできる幅と螺子穴を有する報記憶装置の立設具を用いてもよい。
又、請求項４に係る考案に示すように該基部の両側方向にそれぞれ突出形成した鍔部の突出方向の長さがほぼ同一の長さからなる鍔部である情報記憶装置の立設具であってもよい。
これらの場合、請求項５に係る考案のように情報記憶装置がハードディスクドライブである情報記憶装置の立設具によってハードディスクドライブを有効に活用できる。
【考案の効果】
【０００９】
以上のように構成したことから、ハードディスクドライブを含む情報記憶装置を簡単にかつ低コストで外付けとして使用可能とするものであり、更には横側面を底にして横倒立時様態で設置できるものであり、極めて些少の面積に設置できるものであって、例えばパーソナルコンピューター等の横の隙間等に設置できるものである。
更に鍔部によって横方向に倒れることを防止でき、起立状態を維持できるものであって破損等や故障などの大きな原因である不用意に倒れてしまうなどのことを防止できるものである。
併せて例えば一の立設具に複数の情報記憶装置を設置できるもののほか、一の立設具に一の情報記憶装置を設置した状態でこの様な立設具を複数台並べて設置することもできる。
【００１０】
この場合それぞれの鍔部同士が嵌合して、きれいに並列して並べることができ、鍔武道氏の嵌合によって不用意にずれるなどの事を防止できる。
更に情報記憶装置としてハードディスクドライブなどを簡単に立設具に螺子止め装着でき、この他ＤＶＤドライブやＣＤドライブなどの各種の情報記憶装置にも用いることができる。
以上の様に極めて多種の活用範囲を有し、多様な作用効果を有する反面、その構成自体は簡単な構造であって、製造時点における製造コストは極めて低く簡単に製造できるものである。
【考案を実施するための最良の形態】
【００１１】
図１は、本考案に係る外付け型のハードディスクドライブ等の情報記憶装置の立設具の一例を示す図であり、一定の厚みを有する略直方体形状のハードディスクドライブ１の一側面を下方に、他側面を上方に向けて立設している状態を示す図である。
該ハードディスクドライブ１の底に位置する一側面には平板状の立設具２を有している。
該立設具は基部２０を中心として両側方向にそれぞれ鍔部２１、２２を有しているものであって、それぞれの鍔部は両端方向に対してそれぞれ逆方向に突出形成されている。
【００１２】
したがってそれぞれ一方の突出部分からなる鍔部の反対側面には何らの突出も有していない構成である。
該平板状の立設具２の基部２０はほぼハードディスクドライブ１の一側面の幅と同様の幅からなるものであって、ハードディスクドライブ１の側面の螺子穴に合致する位置に螺子穴２３を有している。
そして該螺子穴同士を螺子３止めすることによって立設具２を装着しているものである。
【００１３】
図２は、図１の装着状態における底部から視認した図を示す。
本図構成の螺子止めはハードディスに計３箇所ある螺子穴のうちの二箇所に亘る螺子止めによって連設している状態を示す。
本図のように少なくとも二箇所螺子止めすることによってぐらつきを防止できる。
したがって例えば３箇所螺子止めするものであっても或いは一箇所だけで螺子止めするものであってももちろんよい。
もとよりこれに応じて立設具２に必要な螺子穴２３を有していればよい。
更に本考案に係る立設具２の基部２０の長さはハードディスクドライブ１の長さよりやや短い長さを有する基部２０からなるが、この長さに限ることなく、もっと短くても、或いはもっと長くハードディスクドライブ１の側面を越える長さを有するものであってももちろんよい。
【００１４】
次に基部２０から両側に突出形成されている鍔部２１、２２は中央部から両端方向においてそれぞれ逆方向に突出形成しているものである。  又、この両鍔部２１、２２ともにほぼ同一の構成によって形成されている。
したがって例えば横にもう一台設置すると両者の隣接する該鍔部同士２１、２２がはめ合わさってきれいに連設できる。
尚、この鍔部２１、２２の突設位置は一例であり、両者の中央部分から両端に分かれて突出しているほか、任意位置からそれぞれ両端方向に突出しているものに限らず基部２０の任意位置からそれぞれ突出しているものでもよい。
【００１５】
但し、それぞれ一方の突出部分からなる鍔部の反対側面には何らの突出も有していない構成である。
更に、該鍔部２１、２２の構成は略長方形状の鍔部を一例として示すが、この大きさ形状に限らず、これよりも突出幅の大きいものや小さいものであって、或いは正方形や傾斜片からなる台形形状、或いは三角形状、弧状形状などの他の形状であってももちろんよい。
この両側に突出形成された鍔部２１、２２は、ハードディスクドライブ１をその一側面を底部として立設設置可能とするものであり、該ハードディスクドライブ１が倒れることを防ぐために両側にそれぞれ突出部を形成するものであればよい。
更には、横方向に連設可能とすると共に連設時に該鍔部２１、２２同士が組み込みあうことによって不用意なズレを防止できればよいものである。
【００１６】
図３は、本考案に係る立設具２の一例を示す図であり、図１及び図２に示す立設具２の図である。
本図のように基部２０を中心として両端方向に鍔部２１、２２をそれぞれ有しているものである。
又、螺子止め用の螺子穴２３を基部に二箇所有している。
この場合螺子穴２３の個数や連設すべき螺子穴の設置位置は任意であり、本図の位置や個数に限定されるものではない。
更に、先に示したように基部２０の大きさや形状は任意形状であり、その両端方向に鍔部２１、２２をそれぞれ突出形成し、更には一の鍔部を有する反対側面には鍔部を有していない構成であればよい。
又、鍔部の形状や大きさも任意である。
【００１７】
図４は、本考案に係る立設具２を用いてハードディスクドライブ１を立設した情報記憶装置を複数個即ち一例として３セット連設した状態を示す図である。
本図に示すようにきっちりと三台のハードディスクドライブ１を定位置に設置できると共に見栄えよくかつしっかりと設置できることとなる。
図５は、本考案に係る立設具２の他の一例を示す図であり、ハードディスクドライブ１の二台分の側面の幅と同様の長さの基部２０の幅を有する立設具２であって、それぞれの二台のハードディスクドライブ１を立設した際にそれぞれのハードディスクドライブ１と螺子止めするための計４箇所の螺子穴２３を有する立設具２を示す。
この様に構成することによって一の立設具２で二台のハードディスクドライブ１を設置できる。
【００１８】
図６は、二台のハードディスクドライブ１に設置している状態を示す図である。
図７は、ハードディスクドライブに代えてＤＶＤディスクドライブ４に本考案に係る立設具２を用いた場合の一例を示す図である。
本図に示すように本考案に係る立設具２は本来ハードディスクドライブに用いるものであるが、この情報記憶装置に限らず、本図のようにＤＶＤディスクドライブやＣＤディスクドライブなどに用いるものであってもよい。
【図面の簡単な説明】
【００１９】
【図１】本考案に係る情報記憶装置の立設具をハードディスクドライブに装着した一例を示す図
【図２】図１に示す装着状態の底部を示す図
【図３】本考案に係る情報記憶装置の立設具の一例を示す図
【図４】本考案に係る情報記憶装置の立設具をハードディスクドライブに装着した上で３台連設して設置した状態を示す図
【図５】本考案に係る情報記憶装置の立設具の他の一例を示す図
【図６】図５に示す本考案に係る情報記憶装置の立設具をハードディスクドライブに装着した一例を示す図
【図７】本考案に係る情報記憶装置の立設具をＤＶＤディスクドライブに装着した一例を示す図
【符号の説明】
【００２０】
１      ハードディスクドライブ
２      立設具
２０    基部
２１    鍔部
２２    鍔部
２３    螺子穴
３      螺子
４      ＤＶＤディスクドライブ
【図１】
0003129917.tif 000003
【図２】
0003129917.tif 000004
【図３】
0003129917.tif 000005
【図４】
0003129917.tif 000006
【図５】
0003129917.tif 000007
【図６】
0003129917.tif 000008
【図７】
0003129917.tif 000009